(57)【要約】【課題】本発明の課題は、構造が簡単であり且つ部品数が少なく、しかも外観が良い引戸装置を提供することである。【解決手段】上レール３と上レール３に走行自在に吊り下げられた障子７とを備え、障子７はパネル１０とパネル１０に枠組みされた上下の横框１３、１５と左右の縦框１７、１９を有し、障子７の縦框１７には上下方向に収納溝４１が形成されており、収納溝４１には上下方向に移動自在に収納された係止部材３９と、係止部材３９を係脱自在に係止する保持部材４７が設けられており、係止部材３９を保持部材４７から外したときに自重により落下して床面４５に接触するように設けた。【選択図】  図１
2004162480.tif 000002
【特許請求の範囲】
【請求項１】
上レールと上レールに走行自在に吊り下げられた障子とを備え、障子はパネルとパネルに枠組みされた上下の横框と左右の縦框を有し、障子の縦框には上下方向に収納溝が形成されており、収納溝には上下方向に移動自在に収納された係止部材と、係止部材を係脱自在に係止する保持部材が設けられており、係止部材を保持部材から外したときに自重により落下して床面に接触することを特徴とする引戸装置。
【発明の詳細な説明】
【０００１】
【発明の属する技術分野】
本発明は、上レールに障子を吊り下げて開閉を行う障子の引戸装置に関するものである。
【０００２】
【従来の技術】
特許文献１には、上レールに吊り下げた障子において、障子の側面にシリンダを取り付け、シリンダ内に挿入された係止部材の下端が床面に当接し、係止部材が上方に移動することをスプリングで規制して障子を固定する技術が開示されている（特許文献１）。
【０００３】
一方、特許文献２には、上レールに吊り下げた障子において、障子の下端を下方に移動自在に設けるとともに、スプリングの付勢力により、障子の下端をその全体に亘って下方に移動し、障子の下端全体を床面と接触することで障子を固定する技術が開示されている（特許文献２）。
【０００４】
【特許文献１】
実用新案登録第２５００６０６号公報
【特許文献２】
特開平７−３２４５５３号公報
【０００５】
【発明が解決しようとする課題】
上述した特許文献１及び２に開示の技術では、スプリングを利用して係止部材を床面に接触させて障子を固定しているので、構造が複雑であり且つ部品数が多くなるという問題があった。特に、特許文献２に開示された技術では、障子の下端全体を下げるので、構造が複雑であり且つ部品数が多くなるという問題があった。また、特許文献１では障子の外側に筒体を取り付けているので、外観が悪いという問題があった。
【０００６】
本発明の課題は、構造が簡単であり且つ部品数が少なく、しかも外観が良い引戸装置を提供することである。
【０００７】
【課題を解決するための手段】
請求項１に記載の発明は、上レールと上レールに走行自在に吊り下げられた障子とを備え、障子はパネルとパネルに枠組みされた上下の横框と左右の縦框を有し、障子の縦框には上下方向に収納溝が形成されており、収納溝には上下方向に移動自在に収納された係止部材と、係止部材を係脱自在に係止する保持部材が設けられており、係止部材を保持部材から外したときに自重により落下して床面に接触することを特徴とする。
【０００８】
この請求項１に記載の発明では、障子を移動させる場合には、障子の左右の縦框の収納溝に収納された係止部材を床面から引き上げた状態で、保持部材に係止して移動する。所定の位置で障子を固定する場合には、係止部材と保持部材との係合を外す。これにより、係止部材はその自重により収納溝に沿って下方に落下し、係止部材の下端が床面に接触する。係止部材と床面との摩擦により障子の動きが規制され、障子の振れが防止される。
【０００９】
また、床面に対して障子が振れて傾いた場合、床面と障子の下端との間の寸法が大きくなるが、その分係止部材が自重により下方に引き出されるので、床面との摩擦接触が維持できる。この場合、係止部材には傾いた障子に、戻ろうとする作用の力が働いて床面との摩擦力が大きくなるので、一度振れた場合であっても、振り子のように戻るのを防止できる。
係止部材は、左右の縦框内の係止部材から外れて自重で落下する構成なので、構成が簡単であると共に部品数を少なくすることができる。
係止部材及び保持部材は左右の縦框内に形成した収納溝に収納されているので、構造が簡単であると共に外観を良くすることができる。
例えば、係止部材が棒状の長尺部材の場合は、つまみの位置を高くすることができ、しゃがむことなく操作できる。
【００１０】
【発明の実施の形態】
以下に本発明の実施の形態を添付図面を参照して詳細に説明する。
図１は引戸装置の分解斜視図であり、図中二点鎖線で抜き出して示すのは左右縦框内に収納された係止部材の分解斜視図である。図２は中央障子の正面図であり、（ａ）は係止部材を引き上げている状態を示しており、（ｂ）は係止部材が床面に落下して床面と接触している状態を示し、図３は図４のＡ−Ａ断面図、図４は引戸装置における、各障子の連結状態を示す横断面図、図５は引戸装置の収まり状態を示す斜視図である。
【００１１】
本実施の形態に係る引戸装置１は、上レール３と上レール３に走行自在に吊り下げられた３枚の障子５、７、９からなり、上框１３に取り付けられた戸車１１が上レール３に沿って走行することで、障子５、７、９の開閉を行っている。また、上レール３の両端には戸車１１のストッパ４が設けられている。
【００１２】
各障子５、７、９は、パネル１０とパネル１０に四方組みされたアルミニウム合金製の上下の横框（上框１３、下框１５）と左右の縦框（左縦框１７、右縦框１９）とから構成されている。
【００１３】
枠組みされている上下框１３、１５と左右縦框１７、１９は、上コーナ部材２９と下コーナ部材３１により連結されており、上コーナ部材２９は上框１３と左右縦框１７、１９とに夫々ネジ３３で固定されている。上コーナ部材２９には戸車１１が装着される戸車ホルダ８が取り付けられており、上コーナ部材２９が戸車ホルダ８の受け部材を兼ねている。
【００１４】
左縦框１７には戸先面側に上下方向に沿って収納溝４１が形成されており、中央障子７及び右側障子９には、係止部材３９を係止する保持部材４７が収納溝４１に固定されている。また、収納溝４１には、上下に摺動自在な係止部材３９の本体部分が収納されている。
【００１５】
係止部材３９の上端には、被係合部５０が設けられており、被係合部５０が保持部材４７の開口部４９に係合して、係止部材３９が下方に落下しないように保持されている。係止部材３９の下端には、略Ｌ字状に折り曲げられた床面４５との接触部５１を備えており、この接触部５１には例えばゴム等の弾性材からなる摩擦部材５２が設けられており、床面４５との摩擦を大きくしている。
【００１６】
保持部材４７は、収納溝４１にネジ４８で固定されており、下端が略コ字状に開いた開口部４９を有し、開口部４９には略円弧状の係止部５４が形成されている。そして、開口部４９の弾性変形により、係止部材３９の被係合部５０が係止部５４に係合するようになっている。
【００１７】
また、係止部材３９の上部には戸先側に突出したつまみ５３が設けられており、つまみ５３の操作により係合を解除している。係止部材３９には、上下方向に略楕円状の係止溝５５が設けられており、収納溝４１に設けられたピン５７が係止溝５５の上端６１又は下端６３に係止されることで、係止部材３９の上下方向の位置を規制していると同時に、左右方向の位置も規制している。
【００１８】
また、中央障子７の左右縦框１７、１９の下部の見付け方向の中央位置には、左右の障子５、９の下部の案内溝部２１に係合して移動する係合部２７の支持部材２５が固定されている。この支持部材２５は断面Ｌ字状であり、係合部２７はローラである。支持部材２５は中央障子７の左右縦框１７、１９の下端の内側にキャップ３５の開口部を通してネジ固定されている。
【００１９】
左右縦框１７、１９の下端には案内溝部２１に連続する補助溝２６とストッパ３７とを備えたキャップ３５が嵌め込まれ固定されており、ストッパ３７に係合部２７が突き当たることで、障子５、７、９が互いに連動して動くようになっている。
【００２０】
尚、左縦框１７の戸先側表面は目板６０で覆われており、係止部材３９及び保持部材４７が目板６０で隠れて外観が良い。
【００２１】
次に、本実施の形態の作用を説明する。障子５、７、９が開いた状態（３枚の障子が重なった状態）から、左側障子５を移動させて障子５の右側のストッパ３７に中央障子７に取り付けた係合部２７が突き当たると、中央障子７が連動して動き、さらに障子５を移動し続けることで右側障子９が動き始める。反対に、障子５、７、９が閉じた状態（３枚の障子が並んだ状態）から、左側障子５を移動させると、障子５の左側のストッパ３７に中央障子７に取り付けた左側の係合部２７が突き当たり、左側障子５と中央障子７が重なった状態となる。さらに左側障子５を動かすと、左側障子５と中央障子７が一緒になって動き、中央障子７の右側の係合部２７が右側障子９の右側のストッパ３７に突き当たった位置で各障子５、７、９が重なった状態となる。
【００２２】
そして、所定の位置で、障子５、７、９を固定する場合には、図２（ａ）に示すような状態から左縦框１７の戸先側に設けられているつまみ５３を下方に向けて押下げて、被係合部５０の係合を外し、これにより係止部材３９はその自重により収納溝４１に案内されて下方に落下する。そして、係止部材３９の接触部５１が左縦框１７の下端１８から突出して床面４５に接触する。そして、接触部５１と床面４５との接触による摩擦により障子５、７、９の動きが規制される。
【００２３】
尚、障子７の動きが規制される位置は、図２（ｂ）の実線部分で示すように、障子７が床面４５に対して垂直の位置に限らず、図２（ｂ）の一点鎖線部分で示すように床面４５に対して障子７が斜めになった状態でも、その斜め位置で障子７の動きを固定することができる。即ち、図２（ｂ）の一点鎖線で示すように、床面４５に対して障子７が振れて傾いた場合、床面４５と障子７の下端１８との間の寸法が大きくなるが、その分係止部材３９が自重により下方に引き出されるので、床面４５との摩擦接触が維持できる。
【００２４】
係止部材３９は、左縦框１７に取り付けた保持部材４７と、係止部材３９だけで良いので、係止部材３９を上下動させるためのスプリングが不要であり、構成が簡単であると共に部品数を少なくすることができる。
【００２５】
係止部材３９及び保持部材４７は左縦框１７内に収納されているので、外観を良くすることができる。また別途に係止部材３９を取り付けるための空間を設ける必要がなく、スペースの省略化を図ることができる。
【００２６】
また、係止部材３９のつまみ５３を上部にもってくることで、しゃがむことなく、楽に係止部材３９の操作ができる。
【００２７】
係止部材３９が直接、床面４５に接触し、床面４５との摩擦により障子７の動きを規制するので、床面４５に係止部材３９の受け材を設ける必要がない。よって、床面４５に加工を施す必要がなく、外観が良いとともに、ゴミが溜まることがなく、また掃除のじゃまにもならない。
【００２８】
本発明は、上述のようなの実施の形態に限定されず、その要旨を逸脱しない範囲内において種々の変形が可能である。
中央障子７及び右側障子９の左縦框１７内に係止部材３９を設けたが、これに限定されず、例えば中央障子７にのみ設けても良い。この場合、互いの障子５、７、９が連結されているので、中央障子７を固定すれば他の障子５、９の振れをも規制することができる。また、すべての障子５、７、９に係止部材３９を設けても良い。
【００２９】
また、係止部材３９は左縦框１７内に設けることに限らず、右縦框１９内に設けても良い。
係止部材３９は左縦框内１７の収納溝４１に嵌合されるようにしても良い。
係止部材３９の下端の接触部５１には、摩擦部材５２に代えて吸着部材を取り付けても良い。
引戸装置１は、ウォーキングクロゼット等の扉に用いるものでも良い。
【００３０】
【発明の効果】
請求項１に記載の発明では、係止部材と保持部材との係合を外すことにより、係止部材は収納溝に沿って下方に落下し、係止部材と床面との摩擦により障子の動きが規制され、障子の振れを防止することができる。
【００３１】
また、床面に対して障子が斜め位置に傾いた状態であっても、障子の動きを規制することができる。
係止部材は、保持部材から外したとき自重で落下する構成なので、構成が簡単であると共に部品数を少なくすることができる。
係止部材及び保持部材は左右縦框内に形成した収納溝に収納されているので、構造が簡単であると共に外観を良くすることができる。
【図面の簡単な説明】
【図１】引戸装置の分解斜視図である。
【図２】引戸装置の正面図である。
【図３】図４のＡ−Ａ断面図である。
【図４】引戸装置における、障子の閉状態を示す横断面図である。
【図５】引戸装置の収まり状態を示す斜視図である。
【符号の説明】
１              引戸装置
３              上レール
５、７、９      障子
１０            パネル
１３            上框
１５            下框
１７            左縦框
１９            右縦框
３９            係止部材
４１            収納溝
４５            床面
４７            保持部材
【図１】
2004162480.tif 000003
【図２】
2004162480.tif 000004
【図３】
2004162480.tif 000005
【図４】
2004162480.tif 000006
【図５】
2004162480.tif 000007